(57)【要約】【課題】作業員の安全性確保と作業効率の向上を両立可能な屋根補修工法を実現する。【解決手段】波形のスレート板10を複数配置したスレート屋根12の表面に、複数枚の不燃段ボール板14を順次配置し、スレート板10の波の頂部から外部に突出したフックボルト16を各不燃段ボール板14に貫通させる工程と、各フックボルト16の先端に押さえ金具40を係合することにより、各不燃段ボール板14をスレート屋根12上に固定する工程と、複数本の横下地材52を押さえ金具40の上に配置し、両者間をネジ止めする工程と、各横下地材上に金属板屋根材70を配置し、両者間をネジ止めする工程とからなる。【選択図】図２
2017031675.tif 000002
【特許請求の範囲】
【請求項１】
波形のスレート板を複数配置したスレート屋根の表面に、複数枚の不燃段ボール板を順次配置し、上記スレート板から外部に突出した既存のフックボルトを各不燃段ボール板に貫通させる工程と、
上記不燃段ボール板を貫通した各フックボルトの先端に押さえ金具を係合することにより、各不燃段ボールをスレート屋根上に固定する工程と、
複数本の下地材を上記押さえ金具の上に配置し、両者間をネジ止めする工程と、
各下地材上に金属板屋根材を配置し、両者間をネジ止めする工程と、
からなることを特徴とする屋根補修工法。
【請求項２】
上記不燃段ボール板が、複数の厚紙波板とライナを積層した多層体の両面に、アルミニウム箔を貼り付けた構造を備えていることを特徴とする請求項１に記載の屋根補修工法。
【請求項３】
上記不燃段ボール板をスレート屋根の表面に配置する前に、複数のセイフティシートを一定の間隔を置いてスレート屋根の表面に配置し、
その後、各不燃段ボール板をストレート屋根の表面に、それぞれの端部が各セイフティシートの上面に載置されるように配置すると共に、上記スレート板から外部に突出した既存のフックボルトを各不燃段ボール板に貫通させることを特徴とする請求項１または２に記載の屋根補修工法。
【発明の詳細な説明】
【技術分野】
【０００１】
この発明は、屋根補修工法に係り、特に、老朽化した波形スレート屋根の全域に新しい金属板屋根を敷設する技術に関する。
【背景技術】
【０００２】
工場や倉庫、体育館等の大型の建物の屋根材として、波形のスレート板が広く用いられるようになって久しく、老朽化したスレート板を取り外すことなく屋根全体を補修する技術も種々実用化されている。
例えば、特許文献１においては、スレート屋根の表面上に突出したフックボルトの座金とスレート板との間にクランプ金具を打ち込み装着した上で、スレート屋根上に複数枚の金属板屋根材を被せ、これらをクランプ金具にネジ止めする屋根補修工法が開示されている。
【０００３】
この屋根補修工法の場合、スレート屋根全体を新たな金属板屋根材で覆うことが基本となるため、建物の使用を中断させる必要が無く、また金属板屋根材は屋根の表面に突出した既設のフックボルトにクランプ金具を介して係合されるため、スレート屋根に穴開け等の加工を施す必要がないという利点を備えている。
【０００４】
ただし、このような屋根補修工法においては、踏み抜きによる作業員の落下事故の危険性があるため、何らかの安全対策を講じる必要がある。
例えば、非特許文献１に示すように、セイフティシートと称する鋼板をスレート屋根の上に設置し、その上を作業員に移動させる工法が採用されている。
【０００５】
【特許文献１】特開平１０−２１９９３６号
【非特許文献１】スレート屋根改修のご提案インターネットURL：http://www.kinzoku-yane.or.jp/roof_repair/pdf/roof_repair-201005.pdf検索日：平成２７年６月１９日
【非特許文献２】サンコー  スライダー２５インターネットURL：http://www.sankometal.co.jp/prod/products/details/rs0501.html検索日：平成２７年６月１９日
【発明の概要】
【発明が解決しようとする課題】
【０００６】
このような鋼板をスレート屋根の上に敷くことにより、確かに作業員の踏み抜き事故を防止することはできるが、重量やコストの関係から屋根の広範囲に亘って敷き詰めることができず、作業スペースが比較的狭い範囲に限定されるという問題が生じていた。
【０００７】
あるいは非特許文献２に示すように、可動式のセイフティシートを用いることにより、補修工事の進展に沿って作業スペースを移動させることも行われているが、こちらは余計な工程が増えることによる作業効率の悪化が問題となる。
【０００８】
この発明は、このような従来の問題を解決するために案出されたものであり、作業員の安全性確保と作業効率の向上を両立可能な屋根補修工法を実現することを目的としている。
【課題を解決するための手段】
【０００９】
上記の目的を達成するため、この発明に係る屋根補修工法は、波形のスレート板を複数配置したスレート屋根の表面に、複数枚の不燃段ボール板を順次配置し、上記スレート板から外部に突出した既存のフックボルトを各不燃段ボール板に貫通させる工程と、上記不燃段ボール板を貫通した各フックボルトの先端に押さえ金具を係合することにより、各不燃段ボールをスレート屋根上に固定する工程と、複数本の下地材を上記押さえ金具の上に配置し、両者間をネジ止めする工程と、各下地材上に金属板屋根材を配置し、両者間をネジ止めする工程とからなることを特徴としている。
【００１０】
上記不燃段ボール板は、例えば、複数の厚紙波板とライナを積層した多層体の両面に、アルミニウム箔を貼り付けた構造を備えたものよりなる。
【００１１】
上記不燃段ボール板をスレート屋根の表面に配置する前に、複数のセイフティシートを一定の間隔を置いてスレート屋根の表面に配置し、その後、各不燃段ボール板をストレート屋根の表面に、それぞれの端部が各セイフティシートの上面に載置されるように配置すると共に、上記スレート板から外部に突出した既存のフックボルトを各不燃段ボール板に貫通させるようにしてもよい。
【発明の効果】
【００１２】
この発明に係る屋根補修工法の場合、金属板屋根材やその下地材を配置する前に、複数枚の不燃段ボール板をスレート屋根上に配置・固定する工程を備えており、各不燃段ボール板が安全作業領域として機能するため、後続の工程における踏み抜き事故の発生を有効に防止することができる。
しかも、この安全作業領域が比較的安価で軽量な不燃段ボール板によって形成されるため、スレート屋根の広い範囲に亘って設置することが可能となり、高い安全性の確保と作業性の向上が達成できる。
さらに、補修工事の完成後も不燃段ボール板がスレート屋根と金属板屋根材との間に残されるため、建物内の断熱効果も期待できる。
【発明を実施するための最良の形態】
【００１３】
図１は、この発明に係る屋根補修工法の第１工程を示す斜視図であり、波形のスレート板10を複数敷き詰めたスレート屋根12の上に、複数枚の不燃段ボール板14を配置した状態が示されている。
【００１４】
各不燃段ボール板14は、図２に示すように、スレート板10の波の頂部から外部に突出した既存のフックボルト16を突き刺すことにより、スレート屋根12上に仮固定される。
このフックボルト16は、屋根の母屋17にスレート板10を係合するためのものであり、その先端には座金18が挿通されると共に、ナット19が螺合されている。
【００１５】
この不燃段ボール板14は、図３に示すように、第１のアルミニウム箔20と、第１の外ライナ22と、第１の大型厚紙波板24と、第１の中ライナ26と、小型厚紙波板28と、第２の中ライナ30と、第２の大型厚紙波板32と、第２の外ライナ34と、第２のアルミニウム箔36とを積層させた多層構造を備えている。
【００１６】
このように、両面に第１のアルミニウム箔20及び第２のアルミニウム箔36を備えているため、不燃段ボール板14は高い不燃性を備えている。また、三層の厚紙波板（第１の大型厚紙波板24、小型厚紙波板28、第２の大型厚紙波板32）を備えているため、高い耐荷重性を備えている。
【００１７】
ただし、他の構造を備えた不燃段ボール板を用いることもできる。
例えば、第１の外ライナ22及び第２の外ライナ34を、水酸化アルミニウム混抄紙（不燃紙）で構成したり、小型厚紙波板28を省略したりすることが該当する。
【００１８】
つぎに、図４に示すように、不燃段ボール板14を貫通した各フックボルト16の先端に押さえ金具40が係合される（第２工程）。
この押さえ金具40は、図２に示すように、長方形状の平板部42と、その中央に設けられた貫通孔44を備えている。また、平板部42の両端は若干下方に向けて折り曲げられており、係止用爪部46, 46が形成されている。
【００１９】
この押さえ金具40の貫通孔44にフックボルト16を挿通した上で、その先端にプッシュナット48が装着される。
この結果、各不燃段ボール板14は押さえ金具40とナット19によって挟持され、スレート屋根12上に強固に固定される。
この際、押さえ金具40の両端に形成された係止用爪部46, 46が不燃段ボール板14の表面に食い込む。
【００２０】
作業員は、最初にスレート屋根12の軒先近くに設置された仮設足場50上に立ち、軒先部分に不燃段ボール板14を設置していく。
つぎに作業員は、設置した不燃段ボール板14上に乗り移り、スレート屋根12のより高い位置に不燃段ボール板14を敷き詰めていく。
上記の通り、不燃段ボール板14は高い耐荷重性を備えているため、その上を作業員が歩き回っても踏み抜けて屋内に落下する危険性はない。
【００２１】
つぎに、図５に示すように、各押さえ金具40の上に複数本の横下地材52が、スレート板10の波列と直交する方向に配置される（第３工程）。
この横下地材52は、めっき鋼板等よりなり、図２に示すように、比較的長尺の上板54と、第１の側板56と、第２の側板58を備えている。
第１の側板56の端辺には、外側に水平方向に折り曲げた第１の縁部60が形成されている。また、第２の側板58の端辺にも、外側に水平方向に折り曲げた第２の縁部62が形成されている。
この横下地材52は、テクスビス64を介して第１の縁部60及び第２の縁部62を押さえ金具40の平板部42にネジ止めすることにより、固定される。
【００２２】
つぎに、図６に示すように、波形鋼板よりなる金属板屋根材70を各横下地材52の上板54上に載置する（第４工程）。
この際、各金属板屋根材70に形成された波の列が、スレート板10に形成された波の列と直交する方向（縦方向）に配置される。
【００２３】
そして、図７に示すように、金属板屋根材70の波の頂部に配置された波用座金72のネジ穴にテクスビス74が挿通され、横下地材52の上板54にネジ止めされる。
この結果、金属板屋根材70が横下地材52に強固に固定される。
【００２４】
以上の工程を繰り返し、スレート屋根12の全体を金属板屋根材70で覆うことにより、屋根補修工事が完了する。
この間、作業員は第１工程で敷設した不燃段ボール板14上を作業スペースとして利用できるため、踏み抜き事故が発生する危険性はない。
【００２５】
上記のように、屋根補修工事用の作業スペースが、軽量で比較的安価な不燃段ボール板14によって形成されるため、スレート屋根12の全域に亘って設置することが可能となる。このため、高い安全性の確保と作業性の向上が実現される。
また、補修工事の完成後も不燃段ボール板14がスレート屋根12と金属板屋根材70との間に残されるため、室内の断熱性も向上する。
【００２６】
上記においては、スレート屋根12のスレート板10上に不燃段ボール板14を直に配置していく例を示したが、図８に示すように、スレート板10上に金属製のセイフティシート80を配置し、その上に不燃段ボール板14の端部を重ねるように配置してもよい。
【００２７】
セイフティシート80は、めっき鋼板等よりなる比較的長尺の金属板にプレス加工を施すことによって形成され、図９に示すように、第１の平坦部81及び第２の平坦部82と、第１の側面部83及び第２の側面部84と、第１の平坦部81と第２の平坦部82を繋ぐ波形湾曲部85を備えている。
【００２８】
セイフティシート80は、第１の平坦部81及び第２の平坦部82をスレート板10の波上に載置し、その下端をビス86でスレート板10の頂部にネジ止めすることにより、固定される。
複数のセイフティシート80を同一列上に並べ、その端部同士を一定の幅で重複させると共に、両者をビス86でネジ止めすることにより、その長さが延長される。
【００２９】
図８においては、一列分のセイフティシート80, 80のみが表れているが、実際には複数列のセイフティシートが相互に一定の間隔を置いてスレート屋根12上に配置されており、各列間に複数枚の不燃段ボール板14が載置されている。
この際、セイフティシート80の第１の平坦部81上に、左側に配置された不燃段ボール板14の右端辺が載置されると共に、第２の平坦部82上には、右側に配置された不燃段ボール板14の左端辺が載置される。
【００３０】
各不燃段ボール板14の固定は、上記の実施形態と基本的に同様である。
すなわち、各不燃段ボール板14は、スレート板10の波の頂部から外部に突出した既存のフックボルト16を突き刺すことにより、スレート屋根12上に仮固定される。
つぎに、不燃段ボール板14を貫通した各フックボルト16の先端に、押さえ金具40が係合される（図４参照）。
つぎに、各押さえ金具40の上に複数本の横下地材52が、スレート板10の波列と直交する方向に配置される（図５参照）。
つぎに、波形鋼板よりなる金属板屋根材70を各横下地材52の上板54上に載置する（図６参照）。この際、各金属板屋根材70に形成された波の列が、スレート板10に形成された波の列と直交する方向（縦方向）に配置される。
最後に、金属板屋根材70の波の頂部に配置された波用座金72のネジ穴にテクスビス74が挿通され、横下地材52の上板54にネジ止めされる（図７参照）。
【００３１】
このように、一定の間隔をおいて配置された複数列のセイフティシート80間に各不燃段ボール板14を載置・固定することにより、作業用スペースとしての強度を向上させることができる。
【図面の簡単な説明】
【００３２】
【図１】この発明に係る屋根補修工法の第１工程を示す斜視図である。
【図２】スレート屋根上に不燃段ボール板、押さえ金具及び横下地材を設置する様子を示す拡大斜視図である。
【図３】不燃段ボール板の構成を示す拡大側面図である。
【図４】屋根補修工法の第２工程を示す斜視図である。
【図５】屋根補修工法の第３工程を示す斜視図である。
【図６】屋根補修工法の第４工程を示す斜視図である。
【図７】スレート板、不燃段ボール板、横下地材及び金属板屋根材の配置関係を示す拡大部分断面図である。
【図８】この発明に係る屋根補修工法の変更例を示す斜視図である。
【図９】セイフティシートの構成を示す斜視図である。
【符号の説明】
【００３３】
10    スレート板
12    スレート屋根
14    不燃段ボール板
16    フックボルト
17    母屋
18    座金
19    ナット
20    第１のアルミニウム箔
22    第１の外ライナ
24    第１の大型厚紙波板
26    第１の中ライナ
28    小型厚紙波板
30    第２の中ライナ
32    第２の大型厚紙波板
34    第２の外ライナ
36    第２のアルミニウム箔
40    押さえ金具
42    押さえ金具の平板部
44    押さえ金具の貫通孔
46    押さえ金具の係止用爪部
48    プッシュナット
50    仮設足場
52    横下地材
54    横下地材の上板
56    横下地材の第１の側板
58    横下地材の第２の側板
60    横下地材の第１の縁部
62    横下地材の第２の縁部
64    テクスビス
70    金属板屋根材
72    波用座金
74    テクスビス
80    セイフティシート
81    第１の平坦部
82    第２の平坦部
83    第１の側面部
84    第２の側面部
85    波形湾曲部
【図１】
2017031675.tif 000003
【図２】
2017031675.tif 000004
【図３】
2017031675.tif 000005
【図４】
2017031675.tif 000006
【図５】
2017031675.tif 000007
【図６】
2017031675.tif 000008
【図７】
2017031675.tif 000009
【図８】
2017031675.tif 000010
【図９】
2017031675.tif 000011